(57)【要約】      （修正有）【課題】ブーツを収納する時にブーツの筒を固定し、尚且つ除湿除臭を行う吸着装置を備えたブーツキーパーを提供する。【解決手段】吸着装置を備えたブーツキーパーは、吸着材料を備えた吸着ユニット１０を含む。吸着ユニット１０は連結頭部２０に回転可能状態で軸着し、連結頭部によってキーパーユニット３０に連結する。また、吸着装置を備えたブーツキーパーをブーツに挿入し、吸着ユニットを回転させてブーツ底の収納空間箇所に入れる。ブーツの筒に配置するキーパーユニット３０は、筒を支え筒の変形を防ぎ、吸着ユニットによってブーツ内の湿気や臭気を吸収する。【選択図】図２
0003179340.tif 000002
【実用新案登録請求の範囲】
【請求項１】
吸着材料を備える吸着ユニットと、主棒を含み、主棒の一端には吸着装置に取り付ける装着部を設け、主棒の両側にはそれぞれ弾性体を設け、
弾性体上には支持壁を設けるキーパーユニットとを含む吸着装置を備えたブーツキーパー。
【請求項２】
前記ブーツキーパーにはさらに、調整ユニットを含み、調整ユニットにはブーツキーパーに取り付けられる挿入体と、挿入体に従って移動するキャップを設けることを特徴とする請求項１に記載の吸着装置を備えたブーツキーパー。
【請求項３】
前記主棒の上部にはキャップを設けることを特徴とする請求項１に記載の吸着装置を備えたブーツキーパー。
【請求項４】
前記吸着ユニットは、複数の穴を備えた外殻を含み、前記吸着材料は外殻内に設け、外殻上には電源プラグを設けることを特徴とする請求項１から３のいずれか一項に記載の吸着装置を備えたブーツキーパー。
【請求項５】
前記吸着ユニットは吸着布を含み、前記吸着材料は吸着布内に包み込まれることを特徴とする請求項１から３のいずれか一項に記載の吸着装置を備えたブーツキーパー。
【請求項６】
前記吸着材料は湿気を吸着する除湿剤であることを特徴とする請求項１に記載の吸着装置を備えたブーツキーパー。
【請求項７】
前記吸着材料は脱臭材料とし、例えば活性炭であることを特徴とする請求項１に記載の吸着装置を備えたブーツキーパー。
【考案の詳細な説明】
【技術分野】
【０００１】
本考案は、ブーツの筒を固定し、尚且つ除湿除臭を行う吸着装置を備えたブーツキーパーに関する。
【背景技術】
【０００２】
ブーツは筒丈によってショートブーツ、ハーフブーツ、ロングブーツに分けられる。その内、筒丈が高くなればなる程収納時に垂れ下がり曲がり易くなり、変形を起こし次に履く時の美観や快適性に影響を及ぼすことになる。
【０００３】
ブーツ収納時の変形問題を改善するため、例えば、特許文献１のブーツキーパーは一体成形の本体と二つの板体を含む。二つの板体は本体両側に設け、ブーツキーパーをブーツ内に入れる。二つの板体はブーツの筒を外側から支え、形を保たせる。しかし、前記ブーツキーパーは単に筒を支える用途だけで、除湿除臭作用はない。よって、ブーツは湿気を受けてカビが生え易く、耐え難い臭いの発生を引き起こすこともある。
【０００４】
前述したブーツキーパーはブーツの防塵効果がなく、ブーツに塵が溜まりきれいに手入れができない。また、ブーツキーパーの本体は一体成形であるため、筒丈に応じて調整できず、応用性に欠けるという欠点がある。
【先行技術文献】
【特許文献】
【０００５】
【特許文献１】台湾実用新案第Ｍ３２７６７５号明細書
【考案の概要】
【考案が解決しようとする課題】
【０００６】
本考案の主な目的は、吸着装置を備えたブーツキーパーの提供にあり、この設計を通して、除湿除臭機能を提供できず、湿気を受けてカビや臭いの発生を引き起こすブーツキーパーの問題を改善する。
【課題を解決するための手段】
【０００７】
前述の目的を達成するために、本考案の設計する吸着装置を備えたブーツキーパーは、吸着ユニットとキーパーユニットを含む。
【０００８】
前記吸着ユニットには吸着材料を備える。
【０００９】
前記キーパーユニットには主棒を備え、主棒の一端には吸着装置に取り付ける装着部を設け、主棒の両側にはそれぞれ弾性体を設け、弾性体上には支持壁を設ける。
【００１０】
前述した通り、吸着装置を備えたブーツキーパーをブーツに入れる際は、まず吸着ユニットをブーツに挿入し、吸着ユニットを回転させてブーツ底の収納空間箇所に入れる。尚、吸着ユニットの吸着材料（乾燥剤や活性炭等）はブーツ内の湿気や臭気を吸収する。また、ブーツの筒に挿入するキーパーユニットによって、筒は支えられ筒を真っ直ぐにし、変形を防ぐことができる。
【００１１】
吸着装置を備えたブーツキーパーはさらに、調整ユニットを含む。主棒上に取り付けられる調整ユニットは、上下移動を可能とし尚且つキャップを備える。本考案のもう一つの目的は、調整ユニットに筒丈に応じたキャップ位置の調整をさせることにあり、さらにもう一つの目的はキャップで筒の開口を塞ぎ、ブーツ内への塵やホコリ、湿気の進入を減少させることにある。
【考案の効果】
【００１２】
本考案の吸着装置を備えたブーツキーパーは、ブーツ内の湿気や臭気を吸収し、筒を支え変形を防ぐ効果を果たす。
【図面の簡単な説明】
【００１３】
【図１】本考案吸着装置を備えたブーツキーパーの実施例の立体図である。
【図２】本考案吸着装置を備えたブーツキーパーの実施例の立体分解図である。
【図３】本考案吸着装置を備えたブーツキーパーの実施例における吸着ユニットの軸回転を示す図である。
【図４】本考案吸着装置を備えたブーツキーパーの実施例におけるキーパーユニットの一部組立図である。
【図５】本考案吸着装置を備えたブーツキーパーの実施例において調整ユニットを引っ張り出す前の側面図である。
【図６】本考案吸着装置を備えたブーツキーパーの実施例において調整ユニットを引っ張り出した後の側面図である。
【図７】本考案吸着装置を備えたブーツキーパーの実施例においてショートブーツに挿入した使用状態を示す図である。
【図８】本考案吸着装置を備えたブーツキーパーの実施例においてロングブーツに挿入した使用状態を示す図である。
【図９】本考案吸着装置を備えたブーツキーパーのもう一つの実施例において防塵カバーをブーツの外側に被せた使用状態を示す図である。
【考案を実施するための形態】
【００１４】
図１及び図２に示した本考案吸着装置を備えたブーツキーパーの実施例において、それは吸着ユニット１０と連結頭部２０を含み、さらにキーパーユニット３０を含む。
【００１５】
吸着ユニット１０には吸着材料を備え、その内、吸着ユニット１０は吸着布、或いは吸着パックによって製作され、吸着材料を内部に包むか、或いは本考案の好ましい実施例の如く、吸着ユニット１０は複数の穴１２を備えた外殻１１と、外殻１１の内部に設けた吸着材料と、外殻１１上に設けた枢着軸１３を含む。吸着ユニット１０上には電源プラグ１４を設け、電源プラグ１４は外部電源に電気的接続が可能である。電気エネルギーから熱エネルギーを生じさせて吸着材料を加熱し、これにより吸着材料が吸着した水分を蒸発させ、繰り返し使用が可能であり地球環境を守ることに繋がる。
【００１６】
連結頭部２０は第一連接部２１と第二連接部２２を含み、第二連接部２２は外殻１１の枢着軸１３に掛け渡して枢着する。よって図３に示すとおり、吸着ユニット１０は連結頭部２０で軸回転する。
【００１７】
図４に示すとおり、キーパーユニット３０には主棒３１を備え、主棒３１の両側にはそれぞれ嵌着部３９を設ける。キーパーユニット３０にはさらに弾性体３２を含み、二つの弾性体３２上には嵌着孔を設ける。嵌着孔と嵌着部の嵌合により、二つの弾性体３２は主棒３１に取り付けられる。二つの弾性体３２上にそれぞれ設けた支持壁３３は弾性体３２に一体成形される。主棒３１の一端には第一連接部２１に連結する装着部３４を設け、キーパーユニット３０のもう一端には嵌合体３５を設け、嵌合体３５の内壁面には対応する定位部３６を設ける。
【００１８】
吸着装置を備えたブーツキーパーはさらに、調整ユニット４０を含む。調整ユニット４０はキーパーユニット３０の嵌合体３５に可動状態で取り付けられ、調整ユニット４０は取っ手４１を備える挿入体４２と挿入体４２に組み合わせるキャップ４３を含む。挿入体４２は複数の間隔をあけて配列し、尚且つ選択性で定位部３６に対応する調整部４４を設ける。
【００１９】
図４から図６に示すとおり、前記取っ手４１は挿入体４２の一端に設け、挿入体４２のもう一端の側面には位置限定体４５を設ける。前記装着部３４と嵌合体３５は主棒３１の両端に位置し、主棒３１上には位置限定体４５に係合するストッパー３７を設ける。ストッパー３７は位置限定体４５を停止させる働きをするため、挿入体４２は嵌合体３５から抜け落ちることがない。図４に示すとおり、キャップ４３近くの取っ手４１側面には嵌入部４６を設け、キャップ４３上には挿入体４２を通過させるための貫通孔４７と、嵌入部４６を通過させて嵌着させる嵌入孔４８を設ける。また、前記支持壁３３には溝部３８を設け、吸着ユニット１０上には電源プラグ１４を設ける。図９に示すとおり吸着装置を備えたブーツキーパーには防塵カバー５０を含み、防塵カバー５０は調整ユニット４０のキャップ４３上に設ける。
【００２０】
図７から図９に示すとおり、吸着装置を備えたブーツキーパーをブーツ６０に入れる際は、吸着ユニット１０から先にブーツ６０に挿入させる。図３に示すとおり吸着ユニット１０は、対応する連結頭部２０を回転させてブーツ６０底の収納空間箇所にスムーズに入れられ、吸着ユニット１０の吸着材料（例えば、乾燥剤や脱臭材料（例えば、活性炭等））でブーツ６０内の湿気や臭気を吸収することができる。また、ブーツ６０の筒に挿入するキーパーユニット３０の支持壁３３は筒を支えるため、筒を真っ直ぐにし、筒の変形を防ぐことができる。使用者はブーツ６０の筒丈に応じて、取っ手４１を持って挿入体４２を引っ張り、キーパーユニット３０の定位部３６を挿入体４２の調整部４４に挿入して挿入体４２を定位させる。キャップ４３は挿入体４２と共に移動し、筒の開口箇所に移動させて開口箇所を塞ぐことにより、塵やホコリ、異物、湿気の筒内への進入を減少させ、さらに防塵カバー５０で筒の外側を覆うと、塵やホコリの筒外側への付着を防ぐことができる。
【００２１】
前述をまとめると、吸着装置を備えたブーツキーパーの吸着ユニット１０はブーツ６０内の湿気や臭気を吸収し、乾燥状態を保ち、カビの発生を防ぐ。また、吸着ユニット１０の電源プラグ１４は外部の電源に接続可能であり、電源を熱エネルギーに変換して吸着材料が吸収した水分を蒸発させる。よって吸着ユニット１０は繰り返し使用が可能であり、地球環境を守ることに繋がる。キーパーユニット３０は筒を支えるため、収納時に筒を変形させることなく、キャップ４３と防塵カバー５０は防塵、防湿の働きをする。また、調整ユニット４０はブーツ６０の筒丈に応じて適度に調整できるため、応用性に優れるものである。
【符号の説明】
【００２２】
１０  吸着ユニット
１１  外殻
１２  穴
１３  枢着軸
１４  電源プラグ
２０  連結頭部
２１  第一連接部
２２  第二連接部
３０  キーパーユニット
３１  主棒
３２  弾性体
３３  支持壁
３４  装着部
３５  嵌合体
３６  定位部
３７  ストッパー
３８  溝部
３９  嵌着部
４０  調整ユニット
４１  取っ手
４２  挿入体
４３  キャップ
４４  調整部
４５  位置限定体
４６  嵌入部
４７  貫通孔
４８  嵌入孔
５０  防塵カバー
６０  ブーツ
【図１】
0003179340.tif 000003
【図２】
0003179340.tif 000004
【図３】
0003179340.tif 000005
【図４】
0003179340.tif 000006
【図５】
0003179340.tif 000007
【図６】
0003179340.tif 000008
【図７】
0003179340.tif 000009
【図８】
0003179340.tif 000010
【図９】
0003179340.tif 000011